(57)【特許請求の範囲】
【請求項１】
主板の水下側端から下方に形成された上馳部と，前記主板の水上側端に上方に形成された下馳部とからなる横葺建築用板と、垂直支持部の上端から略下向き傾斜状の前方突起片と，該前方突起片の先端から形成したＬ字形屈曲部とからなる上馳支持部と，前記垂直支持部から前記前方突起片の先端位置との間に形成され且つ前記垂直支持部と，上馳支持部の前方突起片の先端箇所との間に位置すると共に、垂直支持部の上端から傾斜状に形成された包持片と，該包持片の下端に形成された係止端縁とから構成された下馳支持部とを有する吊子とからなり、前記前方突起片の頂部箇所にて前記主板の下面側が支持され、前記Ｌ字形屈曲部にて上馳部の内方が支持され、下馳部は前記下馳支持部によって覆うようにして包持固定されてなることを特徴とする横葺外囲体。
【請求項２】
請求項１において、前記横葺建築用板の上馳部は、主板の水下側端から形成された前端側片と、該前端側片の下端から内方に形成された上向き傾斜片と、該上向き傾斜片の端部から形成された折返し端縁とからなり、前記吊子の前方突起片の先端にて前端側片が、前記Ｌ字形屈曲部にて上向き傾斜片がそれぞれ支持されてなることを特徴とする横葺外囲体。
【請求項３】
請求項１において、前記横葺建築用板の下馳部は、主板の水上側端より上方に形成された後端側片と、該後端側片の上端より外方に膨出状に形成された被固定屈曲片とからなり、前記吊子の垂直支持部と後端側片との間には隙間部が形成されてなることを特徴とする横葺外囲体。
【発明の詳細な説明】
【０００１】
【産業上の利用分野】
本発明は、風による負圧荷重に対して極めて強固で耐久性に優れ、且つ雨仕舞の施工性に優れ、さらに外気温の温度差による熱伸縮に対しても十分に対応することができる横葺外囲体に関する。
【０００２】
【従来の技術】
従来より種々の横葺タイプの建築用板にて施工された屋根又は壁等の外囲体が存在する。その多くのものは施工性に優れたものや、雨仕舞に優れた構造としたり、工夫を凝らしたタイプのもの等が存在する。さらに、力学的強度等を強化し耐久性等を向上させたものも開発されている。ところで、一般に横葺外囲体では、上記のような長所を全て兼ね備えたものは少なく、上記のような特性の内、施工性，雨仕舞或いは耐久性等の種々の性能の内のいずれか一つに集中し、全ての長所を満たしたものは少ない。
【０００３】
【発明が解決しようとする課題】
上述したように、横葺外囲体では、施工性，雨仕舞或いは耐久性（力学的強度の良好性を含む）等いずれか一つの特性を満たすと、それ以外の特性は不十分になることが多い。したがって、上記の全ての特性を満足させるには、構造が複雑になり価格的に高価なものとなりがちであった。
【０００４】
特に、外囲体の施工が簡単で、熟練した技術を必要としないものでは、その構造が簡単なものとなってしまい、従って雨仕舞構造が簡略化されたり、耐久性が不十分になりがちである。また、雨仕舞を良好にして雨水の浸入を極力防止しようとする構造としたものにすれば、横葺外囲体を構成する各横葺建築用板に強風による吹上げ荷重（負荷重）がかかると、この吹上げ荷重が横葺建築用板が上方に持ち上げるように作用し、このときには傾斜方向に沿って隣接する横葺建築用板同士の継ぎ手部分の雨仕舞が不良状態となり、防水性が極端に劣化し雨水の浸入を生じることとなる。
【０００５】
【課題を解決するための手段】
そこで、発明者は上記課題を解決すべく、鋭意，研究を重ねた結果、本発明を、主板の水下側端から下方に形成された上馳部と，前記主板の水上側端に上方に形成された下馳部とからなる横葺建築用板と、垂直支持部の上端から略下向き傾斜状の前方突起片と，該前方突起片の先端から形成したＬ字形屈曲部とからなる上馳支持部と，前記垂直支持部から前記前方突起片の先端位置との間に形成され且つ前記垂直支持部と，上馳支持部の前方突起片の先端箇所との間に位置すると共に、垂直支持部の上端から傾斜状に形成された包持片と，該包持片の下端に形成された係止端縁とから構成された下馳支持部とを有する吊子とからなり、前記前方突起片の頂部箇所にて前記主板の下面側が支持され、前記Ｌ字形屈曲部にて上馳部の内方が支持され、下馳部は前記下馳支持部によって覆うようにして包持固定されてなる横葺外囲体としたことにより、施工性，雨仕舞及び耐久性等の特性をバランスよく満足なものとし、上記課題を解決したものである。
【０００６】
【発明の実施形態】
以下、本発明の実施形態を図面に基づいて説明する。まず、本発明の横葺外囲体における横葺建築用板Ａについて説明すると、前記主板１の一側端（水上側）に上馳部２が形成され、他端側（水下側）に下馳部３が形成されている。その主板１は、幅方向（水上から水下方向に直交する方向）が長尺であり、且つ平坦状に形成されている〔図３（Ａ）参照〕。
【０００７】
その上馳部２は、図３（Ｂ）に示すように、まず主板１の一側端より略直角状に前端側片２ａが形成され、該前端側片２ａの下端から主板１側に略水平状に上向き傾斜片２ｂが屈曲形成されている。前記前端側片２ａは、主板１に対して直角より少し鋭角状に形成されることが望ましい。
【０００８】
その上向き傾斜片２ｂの他端側、即ち前記前端側片２ａとの折曲箇所と反対位置となる端部から折返し端縁２ｃが形成されている。該折返し端縁２ｃは、前記前端側片２ａとは平行ではなく相対的に傾斜している〔図３（Ｂ）参照〕。前記折返し端縁２ｃは、断面略Ｕ字形状をなすように屈曲形成されたものである。
【０００９】
次に、下馳部３については、図３（Ｃ）に示すように、前記主板１の水上側端に形成されたものであり、後端側片３ａと被固定屈曲片３ｂから形成されたものである。その後端側片３ａは、前記主板１に対して略直角状であるが、具体的には、主板１に対して直角よりも少し鋭角に形成されることが好ましく、前記上馳部２の前端側片２ａとは略平行なる状態である。即ち、前記主板１と、前記前端側片２ａと、前記後端側片３ａとで略偏平Ｎ字形状を構成している。
【００１０】
また、その後端側片３ａの上端には、被固定屈曲片３ｂが形成されている。具体的には、被固定屈曲片３ｂは、前記後端側片３ａよりも外方（前記主板１の外方）に突出して形成されたものである。その被固定屈曲片３ｂは、被固定垂直状片３ｂ1 と、被固定傾斜片３ｂ2 と、連結片３ｂ3 とから形成されている〔図３（Ｃ）参照〕。該連結片３ｂ3 は、前記後端側片３ａの上端と被固定垂直状片３ｂ1 とを連続させたものである。
【００１１】
まず、前記被固定垂直状片３ｂ1 は、前記後端側片３ａと略平行であり、被固定傾斜片３ｂ2 は、前記被固定垂直状片３ｂ1 の上端より主板１側に下向き傾斜状に形成されている。さらに、前記被固定垂直状片３ｂ1 と被固定傾斜片３ｂ2 とは、その上端箇所で円弧状屈曲で連結されている。また、連結片３ｂ3 は、外方上向きに傾斜している〔図３（Ｃ）参照〕。
【００１２】
次に、吊子Ｂについて説明する。該吊子Ｂは、前記横葺建築用板Ａを下地部Ｃに載置固定するための役目をなすものであり、その構造に図２（Ｂ）に示すように、座板部４，垂直支持部５，上馳支持部６及び下馳支持部７とから構成されている。その上馳支持部６は、前記垂直支持部５の上端から形成され、下馳支持部７の上端箇所から前方にに突出する前方突起片６ａと、該前方突起片６ａの下端に形成されたＬ字形屈曲部６ｂとから形成されている。
【００１３】
前記前方突起片６ａは、垂直支持部５の上端から外方下向きに傾斜状されたものである。該前方突起片６ａの垂直支持部５側箇所は適宜の面積の平坦状面６ａ1 が形成されている。また、前方突起片６ａには、平坦状面６ａ1 が形成されないこともある。前記Ｌ字形屈曲部６ｂは、断面略Ｌ字形状をなしており、前記前方突起片６ａの外端箇所から内方に屈曲されたものである。また、前記Ｌ字形屈曲部６ｂのＬ字形状については、前記吊子Ｂを見る方向によって逆Ｌ字形状となる場合もある。
【００１４】
そのＬ字形屈曲部６ｂの先端には押え端縁６ｂ1 が形成されている〔図２（Ｂ）参照〕。その上馳支持部６は、図１（Ｂ）に示すように、前方突起片６ａ及びＬ字形屈曲部６ｂにて、前記横葺建築用板Ａの主板１の下面側及び上馳部２とを略３箇所にて支持することができる〔図１（Ｂ）参照〕。
【００１５】
次に、下馳支持部７は、前記垂直支持部５の上端で且つ前記上馳支持部６の両側に形成されている。具体的には、包持片７ａと，該包持片７ａの下端に形成された係止端縁７ｂとから構成されている。前記包持片７ａは、垂直支持部５の上端から傾斜状に形成されている。また、係止端縁７ｂは前記包持片７ａの下端に略直角状に屈曲形成されたものである。
【００１６】
そして、下馳支持部７は、前記垂直支持部５と，上馳支持部６の前方突起片６ａの先端箇所との間に位置している〔図１（Ｂ），図２（Ｂ）参照〕。上記座板部４は、吊子Ｂを下地部Ｃに固定するときに、下地部Ｃ上に載置されるもので、長方形或いは正方形等の方形状に形成された平板状のものであり、その略中央には、固着具用の貫通孔４ａが穿設されている。
【００１７】
その下地部Ｃは、図１，図２等に示すように、主に母屋，胴縁等の構造材８，垂木９及び下地板１０とから構成されたものである。その垂木９，９，…は前記構造材８に交差して複数配置され、その隣接する垂木９，９間に下地板１０が配置されている。その垂木９は、断面略ハット形状の金属形材からなり、該垂木９上に前記吊子Ｂが所定間隔をおいて配置固着されてゆく。
【００１８】
次に、前記横葺建築用板Ａと吊子Ｂとから構成された横葺外囲体の構造について説明する。まず、任意の横葺建築用板Ａが下地部Ｃ上に載置され、その下馳部３を吊子Ｂの下馳支持部７にて覆うようにして包持固定される。また、その座板部４はドリルビス等の固着具１１にて下地部Ｃの垂木９に固定される。このとき、横葺建築用板Ａの下馳部３の後端側片３ａと前記吊子Ｂの垂直支持部５との間には、隙間部ｓが生じている。
【００１９】
これは、前記下馳部３の後端側片３ａに対して前記被固定屈曲片３ｂが外方に膨出しているからである。該隙間部ｓにより下馳部３の後端側片３ａは、前後いずれの方向にも変移が可能となる。これによって、横葺建築用板Ａの主板１に熱伸縮が生じて、熱膨張又は熱収縮のいずれに対しても、前記後端側片３ａが適宜に変移することができ、熱伸縮を十分に吸収することができる。
【００２０】
その図４（Ａ）は、横葺建築用板Ａの主板１の熱伸縮方向が示されている。また、図４（Ｂ）は、主板１が熱膨張したときに、後端側片３ａが水上側に押されて変形しつつ熱伸縮を吸収している状態を示している。図４（Ｃ）は、主板１が熱収縮したときに、後端側片３ａが水下側に引っ張られて変形しつつ熱伸縮を吸収している状態を示している。
【００２１】
次に、下馳部３の上方から次位の横葺建築用板Ａの上馳部２が配置される。そして、次位の横葺建築用板Ａの上馳部２が前記吊子Ｂの上馳支持部６により嵌合される。まず、上馳支持部６の前方突起片６ａの頂部箇所が主板１の下面側を支持する。そして、前記前方突起片６ａの先端箇所（前方突起片６ａとＬ字形屈曲部６ｂとの屈曲部）が上馳部２の前端側片２ａに当接する。また、Ｌ字形屈曲部６ｂの下端箇所に形成された押え端縁６ｂ1 が前記上馳部２の上向き傾斜片２ｂに当接する。
【００２２】
即ち、吊子Ｂの上馳支持部６は、横葺建築用板Ａの主板１と上馳部２に対して略３箇所で当接しながら支持することができる。その当接状態は、主板１の下面側及び上馳部２の内方側に対して３点で当接する略点接触状となったり、或いは前方突起片６ａに平坦状面６ａ1 が形成されている場合には、該平坦状面６ａ1 と前記Ｌ字形屈曲部６ｂの押え端縁６ｂ1 による、一部面接触状の当接支持となる場合も存在する。また、下馳支持部７による下馳部３の支持においては、前述したように、吊子Ｂの垂直支持部５と後端側片３ａとの間に隙間部ｓが生じるようになっている。
【００２３】
【発明の効果】
請求項１の発明においては、主板１の水下側端から下方に形成された上馳部２と，前記主板１の水上側端に上方に形成された下馳部３とからなる横葺建築用板Ａと、垂直支持部５の上端から略下向き傾斜状の前方突起片６ａと，該前方突起片６ａの先端から形成したＬ字形屈曲部６ｂとからなる上馳支持部６と，前記垂直支持部５から前記前方突起片６ａの先端位置との間に形成され且つ前記垂直支持部５と，上馳支持部６の前方突起片６ａの先端箇所との間に位置すると共に、垂直支持部５の上端から傾斜状に形成された包持片７ａと，該包持片７ａの下端に形成された係止端縁７ｂとから構成された下馳支持部７とを有する吊子Ｂとからなり、前記前方突起片６ａの頂部箇所にて前記主板１の下面側が支持され、前記Ｌ字形屈曲部６ｂにて上馳部２の内方が支持され、下馳部３は前記下馳支持部７によって覆うようにして包持固定されてなる横葺外囲体としたことにより、先ず第１に隣接する横葺建築用板の接合箇所における雨水の浸入を回避することができるし、第２にたとえ僅かな雨水がより内部に入ろうとしても跳ね返すことができるし、第３に強固で耐久性に優れたものにすることができる。
【００２４】
上記効果を詳述すると、上馳部２は、前端側片２ａの下端に上向き傾斜片２ｂが形成されており、上下方向に隣接する横葺建築用板Ａ，Ａの下馳部３に上馳部２を重合させて外囲体を構成したときに、雨水は上向き傾斜片２ｂにより奥側に伝わりにくくなり、前端側片２ａの下端よりそのまま落下させ、ほとんどの雨水は、前記前端側片２ａの下端箇所で排除することができる〔図５（Ａ）参照〕。
【００２５】
また、たとえ、僅かの雨水がその上向き傾斜片２ｂに沿って、上馳部２の内方にまで伝わっていったとしても、その上向き傾斜片２ｂの端部から折返し端縁２ｃが形成されているので、雨水は、該折返し端縁２ｃに沿って主板１に落下してゆき、雨水を排除することができる〔図５（Ｂ）参照〕。これによって、雨水ｗが横葺建築用板Ａ，Ａの上馳部２と下馳部３との継ぎ手より浸入することを防止することができる。
【００２６】
次に、請求項２の発明は、請求項１において、前記横葺建築用板Ａの上馳部２は、主板１の水下側端から形成された前端側片２ａと、該前端側片２ａの下端から内方に形成された上向き傾斜片２ｂと、該上向き傾斜片２ｂの端部から形成された折返し端縁２ｃとからなり、前記吊子Ｂの前方突起片６ａの先端にて前端側片２ａが、前記Ｌ字形屈曲部６ｂにて上向き傾斜片２ｂがそれぞれ支持されてなる横葺外囲体としたことにより、吊子Ｂにより横葺外囲体の上馳部２箇所を３箇所で支持することができ、強固なる構造の外囲体とすることができる。
【００２７】
上記効果を詳述すると、横葺建築用板Ａの主板１に強風等による負圧によって前記横葺建築用板Ａを吊子Ｂから外すように作用する荷重がかかったとしても、前記横葺建築用板Ａの上馳部２は、前述したように吊子Ｂとは３点（３箇所）での接触による支持とされているので極めて強固なる支持状態であるから十分に耐えうるものである。
【００２８】
そして、主板１にかかる上下の揺れが上馳部２に伝達しても、吊子Ｂと上馳部２との当接箇所は上述したように３点（３箇所）の支持としているので、各接触箇所が僅かに移動するのみで、且つ横葺建築用板Ａにかかる揺れを吸収することもでき、該横葺建築用板Ａが吊子Ｂから外れることを防止することできる。
【００２９】
さらに、吊子Ｂには、上馳支持部６と下馳支持部７とが独立しており、横葺建築用板Ａの上馳部２と下馳部３とをそれぞれの別々の部位で固定することにより、極めて強固に固定することができる。したがって、上馳部２が吊子Ｂからはずれても、これと一緒に下馳部３が外れることはなく、損害を最小限に抑えることができる。
【００３０】
次に、請求項３においては、請求項１において、前記横葺建築用板Ａの下馳部３は、主板１の水上側端より上方に形成された後端側片３ａと、該後端側片３ａの上端より外方に膨出状に形成された被固定屈曲片３ｂとからなり、前記吊子Ｂの垂直支持部５と後端側片３ａとの間には隙間部ｓが形成されてなる横葺外囲体としたことにより、横葺建築用板Ａの主板１０の前後方向における熱伸縮に十分に対応することができる。
【００３１】
上記効果を詳述すると、吊子Ｂの垂直支持部５によって支持された下馳部３には、後端側片３ａと垂直支持部５との間に隙間部ｓを生じさせることができ、該隙間部ｓによって後端側片３ａが適宜に振れて変移することができるスペースを得ることができる。
【００３２】
これによって主板１が図４（Ａ）に示すように、前後方向の熱膨張による伸縮が生じたとしても、前記後端側片３ａが前後に適宜に振れることが可能となり、主板１の熱伸縮を十分に吸収することができる。図４（Ｂ）は、主板１が熱膨張したときの後端側片３ａの動作であり、図４（Ｃ）は、主板１が熱収縮したときの後端側片３ａの動作である。
【図面の簡単な説明】
【図１】（Ａ）は本発明の縦断側面略示図
（Ｂ）は本発明の要部縦断側面図
【図２】（Ａ）は上下方向に隣接する横葺建築用板の下馳部と上馳部との接合箇所の要部斜視図
（Ｂ）は吊子の斜視図
【図３】（Ａ）は横葺建築用板の側面図
（Ｂ）は上馳部の拡大図
（Ｃ）は下馳部の拡大図
【図４】（Ａ）は横葺屋根が熱伸縮する方向を示す作用図
（Ｂ）は横葺屋根の主板が膨張したときの後端側片の動作を示す作用図
（Ｃ）は横葺屋根の主板が収縮したときの後端側片の動作を示す作用図
【図５】（Ａ）は下馳部と上馳部との接合箇所において上馳部箇所で雨水を遮断している状態の作用図
（Ｂ）は下馳部と上馳部との接合箇所において上馳部の内部箇所で雨水を遮断している状態の作用図
【符号の説明】
１…主板
２…上馳部
３…下馳部
Ｂ…吊子
６…上馳支持部
７…下馳支持部
ｓ…隙間部
【図１】
0003920532.tif 000002
【図２】
0003920532.tif 000003
【図３】
0003920532.tif 000004
【図４】
0003920532.tif 000005
【図５】
0003920532.tif 000006